(57)【要約】【課題】後で再生の間に出現することになるタイムシフトレコーディングの間のエラー又は故障の発生を早めにユーザに知らせる方法及び装置を提供することである。【解決手段】上記課題は、方法においては、記録装置とデータソースとは互いを制御できず、記録は第１の時点で開始され、再生は第２の時点で開始され、この第２の時点は第１の時点より遅く、ａ）エラーのないデータストリームを示す特性をもとめてソースから記録される信号を永続的にモニタリングするステップ、ｂ）ユーザにデータストリームにおけるエラーの検出について知らせるステップを含んでいることによって解決され、さらに、装置においては、エラーのないデータストリームを示す特性をもとめて記録される信号をモニタリングするための手段及びメッセージをディスプレイに表示するための手段を含むことによって解決される。【選択図】図１
2005080294.tif 000002
【特許請求の範囲】
【請求項１】
データソースの信号が記録装置により記録される、データソースのステータスにおける変化を検出するための方法であって、
前記記録装置と前記データソースとは互いを制御できず、記録は第１の時点（ｔ１）で開始され、再生は第２の時点（ｔ１’）で開始され、該第２の時点（ｔ１’）は前記第１の時点（ｔ１）より遅く、
ａ）エラーのないデータストリームを示す特性をもとめてソースからの記録される信号を永続的にモニタリングするステップ、
ｂ）ユーザにデータストリームにおけるエラーの検出について知らせるステップ
を含んでいる、データソースの信号が記録装置により記録される、データソースのステータスにおける変化を検出するための方法。
【請求項２】
さらに、
ｃ）エラーが発生した時点（ｔ２）を識別するステップ、
ｄ）再生の間にエラーの発生が予期される時点（ｔ２’）を計算するステップ、
ｅ）エラーの発生の予期される時点（ｔ２’）についてユーザに知らせるステップを含んでいる、請求項１記載の方法。
【請求項３】
さらにエラーの発生及び/又はタイプについて知らせるディスプレイ上のメッセージを表示するステップを含む、請求項１又は２記載の方法。
【請求項４】
エラーの発生の際にユーザがインターアクトする少なくとも１つの選択可能なアクションを提供するステップをさらに含んでいる、請求項１〜３のうちのいずれか１項記載の方法。
【請求項５】
信号は放送又はテレビジョン信号であることを特徴とする、請求項１〜４のうちのいずれか１項記載の方法。
【請求項６】
エラーのないデータストリームを示す特性をもとめて信号をモニタリングすることは垂直及び/又は水平同期信号をモニタリングすることを含んでいることを特徴とする、請求項１〜５のうちのいずれか１項記載の方法。
【請求項７】
エラーのないデータストリームを示す特性をもとめて信号をモニタリングすることは記録される信号と共に放送されるデータストリームの内容に関する補足情報を運ぶ信号をモニタリングすることを含んでいることを特徴とする、請求項１〜６のうちのいずれか１項記載の方法。
【請求項８】
再生及び記録は少なくとも部分的にパラレルに行われることを特徴とする、請求項１〜７のうちのいずれか１項記載の方法。
【請求項９】
エラーのないデータストリームを示す特性をもとめて記録される信号をモニタリングするための手段及びメッセージをディスプレイに表示するための手段を含む、データソースから受信されるデータを記録及び再生するための装置。
【請求項１０】
ユーザ起動コマンドに応答するための手段をさらに含む、請求項９記載の装置。
【発明の詳細な説明】
【技術分野】
【０００１】
本発明は、データソースの信号が記録装置により記録される、データソースのステータスにおける変化を検出するための方法及びデータソースから受信されるデータを記録及び再生するための装置に関する。
【背景技術】
【０００２】
放送又はテレビジョン信号のようにストリーム化されたデータを記録するための装置はビデオテープレコーダ又はＶＣＲとして公知である。従来のビデオレコーダは放送又はテレビジョン信号をシーケンシャルに記録するためにテープ状の手段を使用する。ストレージ技術のより最近の進歩は記録された内容を同時に記録及び再生することを可能にする記録及び再生手段を向上させた。これらの新しい装置はしばしばＰＶＲ、パーソナルビデオレコーダの略称、とも呼ばれている。これらのＰＶＲは、従来のやり方で放送又はテレビジョン番組を記録し、記録が終了した後にいつでも記録された番組を再生するために使用されうる。ＰＶＲはタイムシフトレコーディングのやり方で記録された番組を見るためにも使用されうる。タイムシフトレコーディングは、番組を記録することを開始し、残りの番組の記録が続いている間に既に記録された番組の部分を再生し始めることを可能にする。この機能は、例えばもしユーザがいつもＴＶ番組を見る場所に着く前の所定の時点でこのユーザの見たい番組が開始される場合に使用されうる。例えば、番組が８：００ｐ.ｍ.にスタートし、ユーザが８：３０ｐ.ｍ.に帰宅する場合である。このユーザは、もし従来のビデオテープレコーダを使用する場合には番組全部が記録されるまで待たなくてはならないだろう。もしユーザがパーソナルビデオレコーダ又はＰＶＲを使用するならば、番組を最後まで記録しつづけている間に同時にこの番組の既に記録された部分をすぐにリプレイし始めることができる。番組の宣伝ブロック又は他の中断をスキップすることができるように、意図的に最初から番組を記録し、記録を開始した後の所定の時点に番組の既に記録された部分をリプレイし始めることも可能である。所定の時間間隔をスキップすることは一般的にＰＶＲによって高速かつ容易に行われるので、番組の視覚的中断は短く保たれる。
【０００３】
しかし、もしユーザが外部ソースから信号を記録するスタンドアロン型のパーソナルビデオレコーダを使用する場合には、ユーザがチャンネル変化の生じる記録時点に到達するまでソースのチャネルの故意でない変化をタイムシフトモードの間に発見できないこともありうる。これはとりわけもしＰＶＲがビデオソースへのチャネル切り換えコマンドを認識しない場合には又はもし番組の中断が他のエラーに起因する場合には当てはまる。これらの他のエラーは例えば寸断された接続ケーブル又は放送局側の又は伝送チャネルにおける番組中断であるかもしれない。
【発明の開示】
【発明が解決しようとする課題】
【０００４】
それゆえ、本発明の課題は、後で再生の間に現れるタイムシフトレコーディングの間のエラー又は故障の発生を早めにユーザに知らせる方法及び装置を提供することである。
【課題を解決するための手段】
【０００５】
上記課題は、方法においては、記録装置とデータソースとは互いを制御できず、記録は第１の時点で開始され、再生は第２の時点で開始され、この第２の時点は第１の時点より遅く、
ａ）エラーのないデータストリームを示す特性をもとめてソースから記録される信号を永続的にモニタリングするステップ、
ｂ）ユーザにデータストリームにおけるエラーの検出について知らせるステップ
を含んでいることによって解決され、
さらに、上記課題は、装置においては、エラーのないデータストリームを示す特性をもとめて記録される信号をモニタリングするための手段及びメッセージをディスプレイに表示するための手段を含むことによって解決される。
【発明を実施するための最良の形態】
【０００６】
請求項１に開示された本発明の方法はタイムシフトレコーディング及び再生の間にエラー又は故障をユーザに早めに知らせるための方法を提案している。
【０００７】
本発明の有利な実施形他は従属請求項に記載されている。本発明の方法を実施する装置は請求項９に開示されている。
【０００８】
本発明の方法は、エラーのあるデータストリームを示す特性をもとめてソースから記録される信号を永続的にモニタリングし、データストリームのエラーを検出するとすぐにユーザに知らせることを含む。エラーのタイプに依存して、実施する次のアクションの示唆がメッセージには含まれ、例えば一時的に検査のために現在記録されている番組を表示するか又は記録をキャンセルする。
【０００９】
永続的なモニタリングは、ビデオ信号、例えばＣＶＢＳ標準による信号の垂直及び/又は水平同期信号のモニタリングによって行われる。もし、例えばセットトップボックスが信号源として使用され、ユーザが故意にではなくチャネルを切り換える場合には、同期信号はチャネル変更の間の短時間欠けるだろう。中断された又は欠けた同期信号はエラーのあるデータストリームを示す。エラーが検出され、短い中断及び故障又はエラーのタイプをユーザに知らせるメッセージがディスプレイに発行される。上述の例ではメッセージはビデオｓｙｎｃが欠けているという情報を含んでいる。メッセージは次のアクションの示唆も含んでいる。この例では、チャネルが最初に選択されたものとまだ同じであるかどうかを検査するために記録されている現在の番組に短時間切り換えることが示唆される。もちろん、現在記録されている番組を検査のために画像ディスプレイの画像に小さいイメージとして表示してもよい。
【００１０】
本発明の方法の他の実施形態では、音量がモニタされている。もし音量が所定の期間のあいだ低い場合、音が欠けていることをユーザに知らせるメッセージが発行される。もしユーザが故意にではなくソースをミュートモードに設定したのであれば、このユーザはレコーディングのためのノーマルなコンディションを素早くレストアすることができる。
【００１１】
本発明の別の実施形態では、番組に関する補足情報がモニタされる。補足情報はビデオテクスト情報、テレテクスト又は電子番組ガイド（ＥＰＧ）情報を含みうる。ある領域では、ビデオ番組システム（ＶＰＳ）情報が番組と共に放送されている。ＶＰＳ信号は局の明白な識別を可能にする情報を運ぶ。利用可能である場所では、ＶＰＳ信号が本発明の課題を解決するためにモニタされる。
【００１２】
本発明の別の実施形態では、さらに、エラーが発生した時点を識別するステップ、再生の間にエラーの発生が予期される時点を計算するステップ、エラーの発生の予期される時点についてユーザに知らせるステップを含んでいる。
【００１３】
本発明の別の実施形態では、さらにエラーの発生及び/又はタイプについて知らせるディスプレイ上のメッセージを表示するステップを含む。
【００１４】
本発明の別の実施形態では、エラーの発生の際にユーザがインターアクトする少なくとも１つの選択可能なアクションを提供するステップをさらに含んでいる。
【００１５】
本発明の別の実施形態では、信号は放送又はテレビジョン信号であることを特徴とする。
【００１６】
本発明の別の実施形態では、エラーのないデータストリームを示す特性をもとめて信号をモニタリングすることは垂直及び/又は水平同期信号をモニタリングすることを含んでいることを特徴とする。
【００１７】
本発明の別の実施形態では、エラーのないデータストリームを示す特性をもとめて信号をモニタリングすることは記録される信号と共に放送されるデータストリームの内容に関する補足情報を運ぶ信号をモニタリングすることを含んでいることを特徴とする。
【００１８】
本発明の別の実施形態では、再生及び記録は少なくとも部分的にパラレルに行われることを特徴とする。
【００１９】
本発明の別の実施形態では、ユーザ起動コマンドに応答するための手段をさらに含む。
【実施例１】
【００２０】
本発明を図面を参照しつつ以下において記述する。図面では、ただ１つの図がタイムシフトレコーディング及びエラーメッセージ発行のための例示的なタイミングスケジュールを示している。
【００２１】
図には２つの水平タイムバーを有するタイムダイアグラムが示されている。上側のタイムバーは記録される番組の伝送を表す。この番組は時点ｔ１で始まり、図には示されていない時点まで続けられている。下側の水平バーは記録された番組の再生を表す。再生は時点ｔ１’に始まる。記録されている番組の伝送中の時点ｔ２にエラーが発生する。エラー又は故障は黒い閃光のシンボルによって表されている。再生はｔ１’−ｔ１の遅延によって開始される。もしユーザがエラー又は故障の発生を知らされないならば、エラー又は故障が再生される前に期間ｔ２’−ｔ２が過ぎるだろう。本発明によれば、ソース信号のステータスがエラー又は故障のためにモニタされる。エラー又は故障が検出される時に、メッセージが発行される。メッセージの発行は図ではメッセージボックス１として表されている。このメッセージボックス１はスクリーン２の再生されているイメージの上に重ねられる。このメッセージは、エラー又は故障のタイプ及びこのエラー又は故障が発生する推定時点に関する情報を含む。また次のアクションの示唆も表示される。ユーザは今やこの通告に対してどう反応すべきか決定する。この例では、ＯＫボタンを押すことが現在の動作モードを継続させることであり、ＭＥＮＵボタンを押すことが例えば利用可能なさらなるオプションを有するダイアログボックスを開くことである。前述したように、メッセージを現在記録されている信号のピクチャ・イン・ピクチャ表示と組み合わせることも可能である。
【００２２】
記録は現在行われているが再生はまだ開始されていない場合には、エラー又は故障が発生した時点を含むインデックス又はブックマークを作成することも可能である。もしブックマークが作成された後で再生が始まるならば、再生の開始時点にこのブックマーク又はブックマークのリストを表示することが考えられる。ユーザはこれによりエラー又は故障が取るにたらないかどうか又は記録が放棄されるべきか及び記録がキャンセルされるべきかを決定することができる。
【００２３】
本発明はビデオレコーディングに限定されない。本発明の方法をオーディオストリーム、又は、エラー補正を持たず大きな中断又は故障なしに受信及び記録することが望ましい他のストリーム化されたデータに対して使用することが考えられる。
【００２４】
本発明の方法は、記録装置がエラーを除去又は補正するためにデータストリームのソースと直接的にインターアクトできないならば又は記録装置が故意にではなく発行されるデータストリームのソースに向けられたコマンドを阻止又は抑制できないならば、とりわけ有利である。
【図面の簡単な説明】
【００２５】
【図１】タイムシフトレコーディング及びエラーメッセージ発行のための例示的なタイミングスケジュールを示している。
【符号の説明】
【００２６】
１  メッセージボックス
２  スクリーン
ｔ１  第１の時点
ｔ１’  第２の時点
ｔ２  故障又はエラーが発生した時点
ｔ２’  再生中に故障又はエラーの発生が予期される時間
【図１】
2005080294.tif 000003